(57)【要約】  【課題】操作感が良好で、安価に製造することができる鍵盤装置を提供する。【解決手段】鍵の外側部１４は、楽器として組み立てられた状態でにおいて、外部から見える部分であり、また、演奏者により鍵を押下するために触れられる部分である。鍵の内側部１５は、外側部１５の内部に位置し外側からは見えない部分である。外側部１４は、第１の樹脂材料、例えばスチレン基ポリマにより樹脂成形され、内側部１５は、第１の樹脂材料と異なる第２の樹脂材料、例えばＡＢＳにより樹脂成形される。これら外側部１４と内側部１５とは、いわゆるダブルインジェクション成形法により成形されたものである。  【選択図】    図７
2005189823.tif 000002
【特許請求の範囲】
【請求項１】
第１の樹脂材料より成り鍵の上面であって視認される部分を形成する外側部と、第１の樹脂材料とは異なる第２の樹脂材料より成り、前記外側部の下部に位置し、鍵が揺動可能なように後部に揺動支点を有する内側部とがダブルインジェクション成形法により形成された複数の鍵を備えていることを特徴とする鍵盤装置。
【請求項２】
前記外側部は、前記内側部の上部を覆う上面とその上面に連接する左右および前の側面の４面を有し、これらの４面は、ほぼ均一な厚さの箱状に形成されていることを特徴とする請求項１記載の鍵盤装置。
【請求項３】
前記内側部は、下部に鍵のストロークを規制するストローク規制部と、鍵が押下されたことを検出するセンサを駆動するアクチュエータ部とを形成していることを特徴とする請求項１または２に記載の鍵盤装置。
【請求項４】
前記第１の樹脂材料は、ポリスチレン樹脂であることを特徴とする請求項１から３のいずれかに記載の鍵盤装置。
【請求項５】
前記第２の樹脂材料は、ＡＢＳ樹脂であることを特徴とする請求項１から４のいずれかに記載の鍵盤装置。
【発明の詳細な説明】
【技術分野】
【０００１】
本発明は、樹脂により形成される複数の鍵を有する楽器用の鍵盤装置に関する。
【背景技術】
【０００２】
従来、鍵盤装置に適用される鍵の構造としては、樹脂で一体に形成したものや、木材を母材として押鍵面である表面（上面）に樹脂等を貼着したものが一般に知られている。特開２００３−２７１１２６号公報（特許文献１）には、上板部と下板部とを連結部で連結した断面「エ」の字型の樹脂により成る鍵ベースを構成し、その凹部に木材により形成された木質部を埋め込むようにして設けた鍵が開示されている。
【特許文献１】特開平８−３０５３４６号公報
【発明の開示】
【発明が解決しようとする課題】
【０００３】
しかしながら、鍵を樹脂で一体に形成したものは、「ひけ」の発生を防止するために、多くの場合、断面コ字状等のように中空部を設けて形成される。そのため、剛性が低くなり操作感が良好ではないという問題があった。
【０００４】
また、上記特許文献１に開示された鍵は、鍵ベースと木質部とをそれぞれ製作し、これらを張り合わせるなどして組み立てるという工数が必要であり、製造コストが高くなるという問題点があった。
【０００５】
本発明は、上記問題点を解決するためになされたもので、操作感が良好で、安価に製造することができる鍵盤装置を提供することを目的とする。
【課題を解決するための手段】
【０００６】
この目的を達成するために、請求項１記載の鍵盤装置は、第１の樹脂材料より成り鍵の上面であって視認される部分を形成する外側部と、第１の樹脂材料とは異なる第２の樹脂材料より成り、前記外側部の下部に位置し、鍵が揺動可能なように後部に揺動支点を有する内側部とがダブルインジェクション成形法により形成された複数の鍵を備えている。
【０００７】
請求項２記載の鍵盤装置は、請求項１記載の鍵盤装置において、前記外側部は、前記内側部の上部を覆う上面とその上面に連接する左右および前の側面の４面を有し、これらの４面は、ほぼ均一な厚さの箱状に形成されている。
【０００８】
請求項３記載の鍵盤装置は、請求項１または２に記載の鍵盤装置において、前記内側部は、下部に鍵のストロークを規制するストローク規制部と、鍵が押下されたことを検出するセンサを駆動するアクチュエータ部とを形成しているものである。
【０００９】
請求項４記載の鍵盤装置は、請求項１から３のいずれかに記載の鍵盤装置において、前記第１の樹脂材料は、ポリスチレン樹脂である。
【００１０】
請求項５記載の鍵盤装置は、請求項１から４のいずれかに記載の鍵盤装置において、前記第２の樹脂材料は、ＡＢＳ樹脂である。
【発明の効果】
【００１１】
請求項１記載の鍵盤装置によれば、第１の樹脂材料より成り鍵の上面であって視認される部分を形成する外側部と、第１の樹脂材料とは異なる第２の樹脂材料より成り、前記外側部の下部に位置し、鍵が揺動可能なように後部に揺動支点を有する内側部とがダブルインジェクション成形法により形成された複数の鍵を備えているので、操作感が良好で、安価に製造することができるという効果がある。
【００１２】
請求項２記載の鍵盤装置によれば、請求項１記載の鍵盤装置の奏する効果に加え、外側部は、内側部の上部を覆う上面とその上面に連接する左右および前の側面の４面を有し、これらの４面は、ほぼ均一な厚さの箱状に形成されているので、外側部と内側部とが強固に固着されるとともに、外側部を高価な材料により形成しても鍵盤装置のコストを安くすることができるという効果がある。
【００１３】
請求項３記載の鍵盤装置によれば、請求項１または２に記載の鍵盤装置の奏する効果に加え、内側部は、下部に鍵のストロークを規制するストローク規制部と、鍵が押下されたことを検出するセンサを駆動するアクチュエータ部とを形成しているものであるので、鍵を単一の樹脂材料で形成する場合に比べ、より安価に形成することができるという効果がある。
【００１４】
請求項４記載の鍵盤装置によれば、請求項１から３のいずれかに記載の鍵盤装置の奏する効果に加え、第１の樹脂材料は、ポリスチレン樹脂であるので、鍵の上面を光沢があり、硬質な面に形成することができるという効果がある。
【００１５】
請求項５記載の鍵盤装置によれば、請求項１から４のいずれかに記載の鍵盤装置の奏する効果に加え、前記第２の樹脂材料は、ＡＢＳ樹脂であるので、より安価に形成することができるという効果がある。
【発明を実施するための最良の形態】
【００１６】
以下、本発明の好ましい実施形態について、添付図面を参照して説明する。図１は、本発明による鍵４を備えた電子アコーデオン１の構成を示す図である。電子アコーデオン１の外観は、アコースティックアコーデオンの外観と同様であって、右手で演奏される鍵盤２と、左手で演奏される鍵盤３と、レジストレーションボタン９と、ふいご（ベローズ）１１と、音源部１３とを有している。
【００１７】
右手で演奏される鍵盤２は、複数の鍵４により構成され、鍵は一方の端を支点として揺動し、ピアノの鍵のように白鍵と黒鍵とにより構成されている。これらの鍵４は、半音毎の音高に割り当てられている。
【００１８】
一方、左手で演奏される鍵盤３は、複数のボタン５により構成され、軸方向に動作するものである。これらのボタン５は、和音とベース音に割り当てられている。
【００１９】
各鍵４には、押鍵または離鍵を検出するセンサであるスイッチ６が備えられ、各ボタン５には、スイッチ７が備えられ、いずれの鍵４またはボタン５が操作されたかを示す鍵信号を発生する。
【００２０】
電子アコーデオン１は、鍵盤２、鍵盤３それぞれに複数のレジストレーションボタン９を備え、それぞれのレジストレーションボタン９には、鍵盤２および鍵盤３を演奏することにより発生される楽音の音色などが予め割り当てられている。各レジストレーションボタン９には、操作されたことを検出するセンサ（スイッチ）１０が備えられている。
【００２１】
ふいご１１は、アコースティックアコーデオンと同様に蛇腹により構成され、蛇腹を伸長すると蛇腹の内部に空気が吸入され、圧縮すると内部の気圧が高くなる。アコースティックアコーデオンの場合には、この圧縮された空気をリードに吹き付けることにより、楽音を発生するが、電子アコーデオン１の場合には、ふいご１１の内部に圧力センサ１２が備えられている。圧力センサ１２は、公知であってふいご１１内部の圧力に比例した圧力値を出力する。
【００２２】
電子アコーデオン１の内部には音源部１３とその音源部１３に電力を供給するバッテリおよびスピーカ（図示せず）が備えられている。
【００２３】
音源部１３は、ＣＰＵやＲＯＭやＲＡＭにより構成されるマイクロコンピュータと、そのマイクロコンピュータにより制御される音源とが備えられている。鍵盤２の鍵４に備えられたスイッチ６、鍵盤３のボタン５に備えられたスイッチ７、レジストレーションボタン９に対応して備えられたスイッチ１０およびふいご１１の圧力センサ１２により検出された信号は、マイクロコンピュータに入力され、鍵盤２により楽音の発生が指示された場合は、レジストレーションボタン９により選択された音色で楽音を発生するように音源を制御する。音源は、マイクロコンピュータの指示に従って、楽音を発生しスピーカから楽音が放音される。
【００２４】
次に、図２を参照して鍵盤２について説明する。図２は、右手で演奏される鍵盤２を示す斜視図である。鍵盤２は、幹音に対応する白鍵４ａと派生音に対応する黒鍵４ｂとにより構成されている。これらの鍵４は、一般に見られるピアノに用いられる鍵に比べ、長さ、幅、厚さともに小さい寸法に形成されている。
【００２５】
次に、図３〜図６を参照して鍵４について説明する。図３は、白鍵４ａの外観斜視図であり、図４は、白鍵４ａを構成する外側部１４と内側部１５との外観斜視図である。また、図５は、黒鍵４ｂの外観斜視図であり、図６は、黒鍵４ｂを構成する外側部１４と内側部１５との外観斜視図である。
【００２６】
これらの鍵４は、樹脂を射出成形することにより形成され、白鍵４ａおよび黒鍵４ｂは、外側部１４と内側部１５とにより構成されている。鍵の外側部１４は、鍵４を楽器として組み立て状態において外部から見える部分であり、また演奏者により鍵を押下するために、触れられる部分である。鍵の内側部１５は、外側部１４の下方に位置し、外側からは見えない部分である。
【００２７】
外側部１４は、第１の樹脂材料、例えばポリスチレン樹脂により成形され、内側部１５は、第１の樹脂材料と異なる第２の樹脂材料、例えばＡＢＳ樹脂（アクリロニトリル・ブタジエン・スチレン樹脂）により成形される。これらの樹脂は、いわゆるダブルインジェクション成形法により成形されたものである。すなわち、まず、内側部１５が、上型と下型とにより構成される型の中に、第１の樹脂が射出され、第１の樹脂材料が固まると、下型だけ取外して、外側部１４の外形に形成された下型に取り替え、第１の樹脂材料と新たな下型との間に第２の樹脂を射出することにより形成されるものである。
【００２８】
逆に、先に外側部１４を上型と下型とにより構成される型の中に第２の樹脂を射出することにより形成し、外側部１４が固まると、上型だけを取り外し、内側部１５のが外形に形成された上型に取り替えて、第２の樹脂材料と新たな上型との間に第１の樹脂材料を射出することにより成形してもよい。
【００２９】
外側部１４の後端には、鍵４を停止位置に保持するためのバネ２０（図７または図８参照）を係止するバネ座２１が形成されている。内側部１５の後端には、鍵４を揺動自在に軸止する軸受け１８が形成され、鍵４の長手方向の中央部には、鍵４が押下された際に、鍵４が押下されたことを検出するスイッチ６（図７または図８参照）を駆動するアクチュエータ部２２が形成され、アクチュエータ部２２の前方には、鍵４が揺動するストロークを規制するストローク規制部２３が形成されている。
【００３０】
次に図７および図８を参照して、鍵４について更に詳細に説明する。図７は、シャシ１６に組み付けられた状態の白鍵４ａの長手方向に垂直な平面で切断した断面図であり、図８は、シャシ１６に組み付けられた状態の黒鍵４ｂの長手方向に垂直な平面で切断した断面図である。
【００３１】
これら図７および図８に示すように、白鍵４ａおよび黒鍵４ｂにおいて、外側部１４は、内側部１５を上方から覆い囲むように４つの面（上面、左側面、右側面および前側面）を有し、これらの面は、ほぼ均一な薄い厚さの樹脂により形成されている。この４つの面により形成される内部空間１７を第２の樹脂が充満することにより内側部１５が形成されている。
【００３２】
内側部１５の後部には、鍵４が揺動するように軸受け１８が形成され、シャシ１６に固着されている軸１９に嵌合されている。鍵４は、押下されると停止位置から押下位置までバネ２０の付勢力に対抗して回動する。バネ２０は、常態において鍵を停止位置に保持するものである。
【００３３】
外側部１４の後部には、バネ２０の一端を係止するバネ座２１が形成され、シャシ１６には、そのバネ座２１と対向する位置に、バネ２０の他端を係止するバネ座が形成されている。
【００３４】
内側部１５の中央には、シャシ１６に設けられたスイッチ６を押下するアクチュエータ部２２が形成されている。スイッチ６は、ゴムにより形成されたドーム状の可動部に接点が設けられ、鍵４が押下されるとこの接点は、シャシ１６の上に固着されたプリント基板２８に形成された電極を接続するように構成されている。
【００３５】
アクチュエータ部２２の前方には、鍵４のストロークを規制するコの字型のストローク規制部２３が形成され、ストローク規制部２３の上部は、ストロークの下限を規制する下限規制面２５が形成され、下部にはストロークの上限を規制する上限規制面２６が形成されている。
【００３６】
シャシ１６には、これらの規制面に当接する規制面当接部２４が形成され、規制面当接部２４の上面には、下限規制面２５に当接する位置にフェルト２７が貼付され、規制面当接部２４の下面には、上限規制面２６に当接する位置にフェルト２８が貼付されている。
【００３７】
以上のように、本発明の鍵盤装置は、ダブルインジェクション法により鍵４の上部を形成する外側部１４と、その外側部１４の下部に内側部１５とが形成されている。外側部１４は、ほぼ均一の厚さで第１の樹脂材料により形成され、内側部１５は、外側部１４の下部に位置し、鍵４を揺動可能に軸止する軸受け１８や、スイッチ６を駆動するためのアクチュエータ部２２や鍵４のストロークを規制するストローク規制部２３を備えている。
【００３８】
したがって、外側部１４を硬質で光沢のある第１の樹脂材料で形成し、内側部１５を、比較的剛性の低い安価な樹脂で形成することができる。よって、鍵４の操作感を良くするとともに、樹脂材料を安価に形成することができる。また、外側部１４と内側部１５とをそれぞれ形成し、その後、これらの部材を組み立てる必要がなく、より安価に鍵４を製造することができる。
【００３９】
以上、上記実施形態に基づき本発明を説明したが、本発明は、上記実施形態に何ら限定されるものでなく、本発明の趣旨を逸脱しない範囲内で種々の改良変形が可能であることは容易に推察できるものである。
【００４０】
例えば、上記実施形態では、本発明による鍵盤装置を電子アコーデオンに適用したが、アコースティックピアノ、オルガン、シンセサイザ、電子キーボードなどに適用してもよい。
【００４１】
また、上記実施形態では、鍵４の後部にバネ座２１を設け、鍵４が押下されていない場合はバネ２０の付勢力により鍵４を停止位置に保持するものとしたが、内側部１５を形成する樹脂の後端を板バネ状に形成し、樹脂の可塑性を利用して鍵４が押下されていない場合は、停止位置に保持し、鍵が押下されると撓むように形成してもよい。
【００４２】
また、上記実施形態では、外側部１４は、内側部１５を上方から覆い囲むように４つのほぼ均一な薄い厚さの面（上面、左側面、右側面および前側面）を有するものとしたが、これら４つの面に加え後側面も同様に形成し、５つの面で内側部１５を上方から覆い囲む
ように構成してもよい。
【００４３】
また、上記実施形態では、バネ座２１は、外側部１４に形成されるものとしたが、バネ座２１を内側部１５に形成するようにしてもよい。
【図面の簡単な説明】
【００４４】
【図１】本発明による鍵盤装置を備えた電子アコーデオンの外観を示す外観図である。
【図２】鍵盤装置を示す斜視図である。
【図３】白鍵の外観を示す斜視図である。
【図４】白鍵を構成する外側部と内側部それぞれの斜視図である。
【図５】黒鍵の外観を示す斜視図である。
【図６】黒鍵を構成する外側部と内側部それぞれの斜視図である。
【図７】白鍵の長手方向の断面を示す断面図である。
【図８】黒鍵の長手方向の断面を示す断面図である。
【符号の説明】
【００４５】
１                  電子アコーデオン
２                  鍵盤装置
４                  鍵
４ａ                白鍵
４ｂ                黒鍵
１４                外側部
１５                内側部
１６                シャシ
２２                アクチュエータ部
２３                ストローク規制部
【図１】
2005189823.tif 000003
【図２】
2005189823.tif 000004
【図３】
2005189823.tif 000005
【図４】
2005189823.tif 000006
【図５】
2005189823.tif 000007
【図６】
2005189823.tif 000008
【図７】
2005189823.tif 000009
【図８】
2005189823.tif 000010